(57)【要約】【課題】  簡易かつ小型の構成によって、シート状記録媒体を安定的に搬送することを可能とする。【解決手段】  搬送ローラ１５の回転中心とは異なる位置に配置した回転支点１５ｄ２を介して揺動アーム部１５ｄを装置本体側に枢着し、その揺動アーム部１５ｄに取り付けた第２の搬送ローラ１５ｂを第１の搬送ローラ１５ａに対して加圧することとし、その簡易な構成の揺動アーム部１５ｄの回動作用によって、シート状記録媒体のテンション力を搬送ローラ１５ｂに対して直接的に作用することをなくし、第１および第２の搬送ローラ１５ａ，１５ｂどうしの接触圧を安定的に得るように構成したもの。【選択図】      図３
2005249976.tif 000002
【特許請求の範囲】
【請求項１】
画像形成部に対してシート状記録媒体を給送し、または画像形成部からシート状記録媒体を排出させるシート搬送部に、ローラ対からなる第１および第２の搬送ローラが設けられ、
前記第１の搬送ローラが、加圧機構を介して前記第２の搬送ローラに圧接するように配置された画像形成装置において、
上記加圧機構は、前記シート状記録媒体の搬送方向に略平行で、且つ前記第１の搬送ローラの回転中心を通る直線上またはその近傍に配置された回転支点を介して装置本体側に枢着されていることを特徴とする画像形成装置。
【請求項２】
前記揺動アーム部の回転支点が、前記シート状記録媒体の搬送方向において前記第１の搬送ローラの回転中心よりも上流側に配置されていることを特徴とする請求項１記載の画像形成装置。
【請求項３】
前記第１および第２の一対の搬送ローラは、搬送されるシート状記録媒体の先端を画像の先端と同期させるレジストローラ対からなることを特徴とする請求項１または請求項２のいずれかに記載の画像形成装置。
【発明の詳細な説明】
【技術分野】
【０００１】
本発明は、シート状記録媒体を給送または排出させるシート搬送部に、互いに圧接するように配置されたローラ対からなる搬送ローラが設けられた画像形成装置に関する。
【背景技術】
【０００２】
一般に、複写機、ファクシミリ、あるいはプリンタなどのような電子写真方式を採用した各種画像形成装置においては、給紙搬送部に設けられた給紙ローラの搬送作用によって送り出された記録紙などのシート状記録媒体が、画像形成部の搬送方向上流側に配置されたシート搬送部の搬送ローラにより画像形成部に対して給送され、潜像担持体（感光ドラム）上に形成されたトナー画像が転写されて定着が行われるとともに、そのトナー画像を形成されたシート状記録媒体は、画像形成部の搬送方向下流側に配置されたシート搬送部の搬送ローラによって排出搬送されるようになっている。
【０００３】
このように画像形成装置内に設けられたシート搬送部には、複数個の搬送ローラが配置されているが、それらの各搬送ローラは、通常、ローラ対から構成されていて、第１の搬送ローラと第２の搬送ローラとが、適宜の加圧機構を介して互いに圧接するように配置されている。そして、その搬送ローラの一方は、装置本体側の駆動部からの回転駆動力を受けて回転駆動される駆動ローラから構成されているとともに、他方の搬送ローラは、従動ローラから構成されていて、当該従動ローラからなる搬送ローラが、加圧機構によって、一般に２０Ｎ〜３０Ｎ程度の高荷重で、上記駆動ローラ側の搬送ローラに圧接される構成になされている。
【０００４】
例えば、図６に示されている従来例では、駆動側の搬送ローラ１が特定の位置において不動状態で回転駆動されるように配置されているとともに、その駆動側の搬送ローラ１に対して、従動側の搬送ローラ２が加圧機構を介して圧接するように配置されている。すなわち、本例における加圧機構では、上述した従動側の搬送ローラ２の軸受部材２ａが、図中一点鎖線で表した搬送方向と略直交する方向に延在する一対のガイド板３，３どうしの間に形成された略直線状のガイド溝３ａ内に滑動可能に装着されているとともに、その軸受部材２ａの背後側に加圧手段として装着されたコイルバネ４の押圧付勢力によって、上記従動側の搬送ローラ２が、駆動側の搬送ローラ１に向かって押し付けられるようになっている（例えば、下記特許文献１、特許文献２および特許文献３参照）。
【０００５】
【特許文献１】特開平６−２５５８３０
【特許文献２】特開平８−９１６３５
【特許文献３】特開２０００−６２９９６
【発明の開示】
【発明が解決しようとする課題】
【０００６】
しかしながら、このような従来の加圧機構では、特にコイルバネ４を装着するための空間が必要になることに加えて、軸受部材２ａの往復移動する大きな空間を要していることから、装置全体が大型化してしまう傾向がある。
【０００７】
また一般に、搬送ローラの外径寸法のバラツキや、長期使用による表面摩擦係数の変化、あるいは搬送されるシート状記録媒体の表面摩擦係数または厚みの変動などによって、シート状記録媒体の搬送方向における上流側の搬送ローラと下流側の搬送ローラとの間で搬送速度が相対的に変化してしまうことがあることから、装置本体内に配置された複数の各搬送ローラのうちのいずれにシート状記録媒体が把持されているかによって、搬送ローラに負荷される力が変動する現象が従来から知られている。
【０００８】
例えば、上流側の搬送ローラの搬送速度が大きく、下流側の搬送速度が小さくなった場合には、シート状記録媒体に張力が負荷されたテンション状態となってしまい、それによって、例えば図７に示されているように、従動側の搬送ローラ２の軸受部材２ａに対して本来の往復移動方向とは異なる方向に回転モーメントが作用し、軸受部材２ａの往復移動が良好に行われなくなって、安定した加圧力が得られなくなってしまうことがある。その結果、シート状記録媒体がスキュー状態になったり、送りムラの原因になることがあり、特に画像形成部に対してシート状記録媒体を送り込む場合には、補正をもはや行うことができないため、画像品質低下の直接的の原因になり易い。
【０００９】
本発明は、上記問題点に鑑みてなされたものであって、その目的とするところは、簡易かつ小型の構成によって、シート状記録媒体を安定的に搬送することができるようにした画像形成装置を提供することにある。
【課題を解決するための手段】
【００１０】
上記目的を達成するために本発明の請求項１にかかる画像形成装置では、画像形成部に対してシート状記録媒体を給送し、または画像形成部からシート状記録媒体を排出させるシート搬送部に、ローラ対からなる第１および第２の搬送ローラが設けられ、前記第１の搬送ローラが、加圧機構を介して前記第２の搬送ローラに圧接するように配置された画像形成装置において、上記加圧機構は、前記シート状記録媒体の搬送方向に略平行で、且つ前記第１の搬送ローラの回転中心を通る直線上またはその近傍に配置された回転支点を介して装置本体側に枢着されている。
【００１１】
このような構成を有する請求項１にかかる画像形成装置によれば、搬送ローラの搬送速度が、シート状記録媒体の搬送方向において上流側と下流側とで相違することによってシート状記録媒体に張力が負荷されたテンション状態となっても、簡易な構成の揺動アーム部の回動作用によって、上述したシート状記録媒体のテンション力が搬送ローラに対して直接的に作用することがなくなり、第１および第２の搬送ローラどうしの接触圧が安定的に得られるようになっている。
【００１２】
また、本発明の請求項２にかかる画像形成装置では、上記請求項１における揺動アーム部の回転支点が、シート状記録媒体の搬送方向において第１の搬送ローラの回転中心よりも上流側に配置されている。
【００１３】
このような構成を有する請求項２にかかる画像形成装置によれば、シート状記録媒体から搬送ローラが受けるシート作用力Ｆｐに対して、加圧機構の加圧力Ｆｐに基づいて発生する求心力が打ち消し合うように作用することとなり、搬送ローラの位置の安定化が図られるようになっている。
【００１４】
さらに、本発明の請求項３にかかる画像形成装置では、上記請求項１または請求項２のいずれかにおける第１および第２の一対の搬送ローラが、搬送されるシート状記録媒体の先端を画像の先端と同期させるレジストローラ対からなる。
【００１５】
このような構成を有する請求項３にかかる画像形成装置によれば、レジストローラ対における搬送作用が、簡易な構成の揺動アーム部の回動作用によって正確に行われることとなり、画像品質が直接的に向上されるようになっている。
【発明の効果】
【００１６】
以上のように本発明の請求項１にかかる画像形成装置は、適宜の回転支点を介して揺動アーム部を装置本体側に枢着し、その揺動アーム部に取り付けた第２の搬送ローラを第１の搬送ローラに対して加圧することとし、その簡易な構成の揺動アーム部の回動作用によって、上述したシート状記録媒体のテンション力を搬送ローラに対して直接的に作用することをなくし、第１および第２の搬送ローラどうしの接触圧を安定的に得るように構成したものであるから、簡易かつ小型の構成によって、シート状記録媒体を安定的に搬送することができる。
【００１７】
また、本発明の請求項２にかかる画像形成装置は、上記請求項１における揺動アーム部の回転支点を、シート状記録媒体の搬送方向において第１の搬送ローラの回転中心よりも上流側に配置することにより、シート状記録媒体から搬送ローラが受けるシート作用力Ｆｐに対して、加圧機構の加圧力Ｆｐに基づいて発生する求心力Ｆｓ’を打ち消し合うように作用させ、搬送ローラの位置の安定化が図るように構成したものであるから、上述した効果をさらに向上させることができる。
【００１８】
さらに、本発明の請求項３にかかる画像形成装置は、上記請求項１または請求項２のいずれかにおける第１および第２の一対の搬送ローラを、搬送されるシート状記録媒体の先端を画像の先端と同期させるレジストローラ対から構成して、レジストローラ対における搬送作用を簡易な構成の揺動アーム部の回動作用によって正確に行わせ、画像品質を直接的に向上させるように構成したものであるから、上述した効果をさらに向上させることができる。
【発明を実施するための最良の形態】
【００１９】
以下、本発明の実施形態を図面に基づいて詳細に説明するが、それに先立って、本発明を適用する画像形成装置の一例として、レーザプリンタを例にとって全体構造を概説しておく。
【００２０】
図１に示されているレーザプリンタ１０においては、例えば外部のコンピュータから送られてくる画像情報が、画像形成部に設けられたビデオコントローラ（図示省略）によって受信されると、その受信された画像情報は、レーザ発光書込部１１により光変調情報１１ａに変換され射出される。レーザ発光書込部１１から射出された光変調情報１１ａは、紙面垂直方向に走査されながら、プロセスカートリッジ１２内に像担持体として設けられた感光ドラム１２１上にスポット状に結像される。その回転されることによって副走査方向に移動される感光ドラム１２１上に照射された光スポットは、主走査方向（軸方向）に往復走査され、それによって当該感光ドラム１２１上に、上述した原稿画像情報に対応した静電潜像が形成される。そして、その感光ドラム１２１上の静電潜像に対して、同じくプロセスカートリッジ１２内に一体的に設けられた現像装置１２２から現像剤（トナー）が供給されることによって未定着トナー像が形成されるようになっている。
【００２１】
このとき、上述したプロセスカートリッジ１２は、図示を省略した適宜の着脱機構を介して、略水平方向（図示左右方向）に移動されることにより着脱される構成になされていて、そのときの着脱操作は、当該プロセスカートリッジ１２の後端側部分（図示右端側部分）に設けられた操作レバー１２ａを、ユーザーが手で把持した状態で行われるようになっている。
【００２２】
またこのとき、上記プロセスカートリッジ１２の後方側（図示右方側）には、板状部材からなる内カバー１２ｂおよび前カバー１２ｃが開閉自在に設けられており、通常の使用状態においては図示のように閉塞された状態にロックされている。これらの内カバー１２ｂおよび前カバー１２ｃは、各々の部材の下端側部分に設けられた回動支点１２ｄ，１２ｅを中心にして回動することにより開閉される構成されており、図示を省略したロック機構により図示した閉塞位置に固定されているとともに、同じく図示を省略した解除機構によって、回動可能な状態に開放される構成になされている。
【００２３】
一方、装置本体部の下部側には、規定のサイズに裁断された記録紙等のシート状記録媒体を給送するメイン給紙ユニット１３が配置されている。このメイン給紙ユニット１３を構成している箱状のカセット収容体１３ａは、装置本体に対して着脱自在となるように装着されており、そのカセット収容体１３ａの内部に設けられた中支持板１３ｂの上面側に対して、図示を省略した適宜のサイズの記録紙が積層状に蓄えられるようになっている。そして、そのシート状記録媒体の積層方向における最下面が上記中支持板１３ｂにより支持されるとともに、その中支持板１３ｂが給紙加圧バネ１３ｃにより上方側に向かって付勢されていることによってシート状記録媒体が上方に持ち上げられた状態に保持されるようになっている。
【００２４】
また、上述したカセット収容体１３ａの内部側の上方位置には、略「く」の字状に屈曲した板状部材からなるセンサフラグ１３ｄが上下方向に揺動するように配置されており、そのセンサフラグ１３ｄの屈曲下端部分が、上記カセット収容体１３ａの内部に蓄えられたシート状記録媒体の最上面位置に自重で当接することによって、当該カセット収容体１３ａ内におけるシート状記録媒体の有無が検出されるようになっている。
【００２５】
さらに、上記カセット収容体１３ａの紙送り方向前端部分（図示左端部分）には、円筒状部材から形成された給紙ローラ１３ｅが設けられている。この給紙ローラ１３ｅの回転軸に対しては、図示を省略した電磁クラッチのオン・オフ制御を介して、適宜のタイミングで回転駆動力が断続されるように構成されている。そして、上述した中支持板１３ｂにより上方に持ち上げられるようにして支持されたシート状記録媒体の積層方向における最上面が、上記給紙ローラ１３ｅの外周面に対して下方側から当接された状態で給紙動作が実行されるようになっている。
【００２６】
また、上述した中支持板１３ｂの紙送り方向前端縁（図示左端縁）に対して前方側に隣接するようにして薄板状部材からなる分離パッド（分離部材）１３ｆが、上記給紙ローラ１３ｅの外周面に対して下方側から圧接するように配置されている。この分離パッド１３ｆは、上述した給紙ローラ１３ｅの下方位置において上下動するように配置された分離揺動台１３ｇの上面側に貼着されており、その分離揺動台１３ｇが、分離加圧バネｈにより上方に向かって付勢されることによって、給紙ローラ１３ｅの下面側に分離パッド１３ｆが常時圧接された状態に維持されている。
【００２７】
そして、このメイン給紙ユニット１３におけるカセット収容体１３ａ内に積層されたシート状記録媒体は、給紙ローラ１３ｅの回転によって分離パッド１３ｆとの間の圧接ニップ部を通過するようにして給紙通路１４側に送り出されていき、その給紙通路１４に設けられた一対のローラからなるレジストローラ１５のニップ部に突き当てられることによって適宜のタイミングをとられながら、上述した感光ドラム１２１と対面する転写領域に送り込まれていく構成になされている。このようなレジストローラ１５の構成については後段において詳述することとする。
【００２８】
一方、上述した画像形成部を構成する感光ドラム１２１の転写領域には、当該感光ドラム１２１の表面に接触するようにして接触転写体としての転写ローラ１７が接触するように配置されている。この転写ローラ１７には転写バイアスが印加され、その転写バイアスによって、上述した感光ドラム１２１上に形成された未定着トナー像がシート状記録媒体上に静電的に転写されるようになっている。さらに、転写後において上記感光ドラム１２１上に残留するトナーは、当該感光ドラム１２１の表面上に圧接するように配置されたクリーニングブレード１２３の摺接力により掻き落とされるようになっている。
【００２９】
さらに、上述した転写作用によって未定着トナーを担持したシート状記録媒体は、上述したプロセスカートリッジ１２の上方位置に隣接するように配置された定着装置１８に向かって搬送される。当該定着装置１８には、加熱手段としての定着フィルム１８ａが環状をなすように配置されているとともに、その定着フィルム１８ａに対面するようにして加圧ローラ１８ｂが配置されている。そして、それらの定着フィルム１８ａおよび加圧ローラ１８ｂのニップ部における加圧・加熱作用に基づく定着作用によって、上記シート状記録媒体上の未定着トナーが融解され、シート状記録媒体上にトナー像が固定され定着されるようになっている。
【００３０】
また、このような加熱定着動作によってトナー像を固定された記録紙は、定着装置１８の出口部から装置上方側に配置された排紙部２０に設けられた排紙通路２１内に送り出された後、その排紙通路２１に設けられた排紙ローラ２２の排出搬送作用によって、装置本体部の最上位置に設けられた排紙トレイ２３上に排出されるように構成されている。この排紙トレイ２３の紙送り方向（図示右方向）後端部分には、延長トレイ２４が連設されているが、その延長トレイ２４は、上述した排紙トレイ２３の直下に形成された空間内に、滑動するようにして収納される構成になされている。
【００３１】
ここで、上述したレジストローラ１５は、画像形成部に対してシート状記録媒体を給送するシート搬送部の一部を構成しているものであり、給紙部から搬送されてきたシート状記録媒体の先端を、前記感光ドラム１２１上の画像の先端と同期させる機能を備えたものである。そして、図２にも示されているように、当該レジストローラ１５を構成している駆動ローラ（第２のローラ）１５ａに対して、従動側の加圧ローラ（第１のローラ）１５ｂが、後述する加圧機構を介して圧接するように配置されている。このときの従動側の加圧ローラ１５ｂにより加圧力は、片側で約１５Ｎとなるように設定されている。
【００３２】
上記駆動ローラ（第２のローラ）１５ａの回転軸１５ａ１は、電磁クラッチ１５ｃを介して、図示を省略した装置本体側の本体駆動列に接続されており、その電磁クラッチ１５ｃが、本体制御装置からの信号に基づいてオン・オフされることによって、上記駆動ローラ１５ａに対して適宜のタイミングで回転駆動力が断続され、シート状記録媒体の先端と同期して制御されるようになっている。
【００３３】
また、上述した加圧ローラ（第２のローラ）１５ｂの回転軸１５ｂ１の両端部分は、特に図３に示されているように、略「く」の字形状に形成された揺動アームからなる加圧軸受部材１５ｄの略中心部分に回転自在に取り付けられている。この加圧軸受部材１５ｄの図３下方に向かって延在している基端部分には、取付穴１５ｄ１が貫通形成されており、その取付穴１５ｄ１が、図示を省略した装置本体側の筐体に立設された回転軸１５ｄ２を介して回動自在に枢着されている。
【００３４】
すなわち、この加圧軸受部材１５ｄは、前記回転支持軸１５ｄ２を中心にして回動するように装着されており、前記加圧ローラ１５ｂから図３の斜め上方に向かって延在する揺動端部分には、略Ｕ字状をなすように切り欠き形成された取り付け溝１５ｄ３に対して、加圧手段としてのコイルバネ１５ｅの一端部分が取り付けられている。この捻りコイルバネ１５ｅの他端部分は、図示を省略した装置本体側に立設されたバネ掛けピン１５ｆに対して引っ張り状態で取り付けられており、その加圧手段としての捻りコイルバネ１５ｅの引っ張り付勢力によって、上述した加圧ローラ１５ｂが駆動ローラ１５ａ側に向かって引き付けられるようになっている。
【００３５】
このとき、上記加圧軸受部材１５ｄの回転支点を構成している回転支持軸１５ｄ２は、図中の一点鎖線で示されたシート搬送方向（図示上方向）Ｌ１の搬送方向上流側（図示下方側）において、上記加圧ローラ１５ｂと並ぶようにして配置されている。そして、本実施形態においては、その加圧軸受部材１５ｄの回転支持軸１５ｄ２の中心位置と、上記加圧ローラ１５ｂの回転軸１５ｂ１の中心位置とを結んだ直線Ｌ２が、上述したシート搬送方向Ｌ１と略平行になる位置関係に設定されている。
【００３６】
このような実施形態において、上述したレジストローラ１５を含む搬送ローラの搬送速度が、例えば次に説明するような原因によってシート状記録媒体の搬送方向の上流側と下流側とで相違することとなり、シート状記録媒体に張力が負荷されたテンション状態となっても、簡易な構成の揺動アームからなる加圧軸受部材１５ｄの回動作用によって、上述したシート状記録媒体のテンション力がレジストローラ１５に対して直接的に作用することがなくなる。従って、そのレジストローラ１５を構成している駆動ローラ（第２のローラ）１５ａと、加圧ローラ（第１のローラ）１５ｂとの間の接触圧が安定的に得られることとなる。
【００３７】
例えば、レジストローラ１５に把持されているシート状記録媒体が搬送方向下流側から引っ張られる例としては、例えば図４に示されているように、シート状記録媒体Ｐのシート搬送方向（図示上方向）の下流側に配置された定着装置１８の加圧ローラ１８ｂが、熱膨張などによって外径が大きくなる場合がある。その場合には、定着装置１８の加圧ローラ１８ｂによるシート状記録媒体Ｐの搬送速度が増加することとなり、それによってレジストローラ１５の加圧ローラ１５ｂに対して、シート状記録媒体Ｐがシート搬送方向（図示上方向）に引っ張る方向にシート作用力Ｆｐが作用する。
【００３８】
しかしながら、そのときのシート作用力Ｆｐは、加圧軸受部材１５ｄの取付穴１５ｄ１を介して回転支持軸１５ｄ２に発生する反力Ｂで打ち消されることとなる。特に本実施形態では、加圧軸受部材１５ｄの回転支点を構成している回転支持軸１５ｄ２が、加圧ローラ１５ｂに対して、シート状記録媒体Ｐの搬送方向に略平行で、且つ加圧ローラ１５ｂの回転中心を通る直線上またはその近傍に配置されていることから、シート状記録媒体Ｐから加圧ローラ１５ｂが受けるシート作用力Ｆｐと、加圧機構としての加圧軸受部材１５ｄの加圧力Ｆｓとの関係が、基本的に無関係となっており、その結果、加圧ローラ１５ｂによる加圧力Ｆｓが安定的に得られるようになっている。
【００３９】
また、レジストローラ１５に把持されているシート状記録媒体が上流側より引っ張られている例としては、例えば図５に示されているように、シート搬送方向（図示上方向）において上流側に配置された給紙カセット１３の給紙ローラ１３ｅの外径が長期使用によって小さくなる場合がある。その場合には、給紙カセット１３の給紙ローラ１３ｅによるシート状記録媒体Ｐの搬送速度が減少することとなり、それによってレジストローラ１５の加圧ローラ１５ｂに対して、シート状記録媒体Ｐがシート搬送方向の反対方向（図示下方向）に引っ張る方向にシート作用力Ｆｐが作用する。
【００４０】
しかしながら、そのときのシート作用力Ｆｐは、まず駆動ローラ１５ａの回転によって減少させられた上で、加圧軸受部材１５ｄの取付穴１５ｄ１を介して回転支持軸１５ｄ２に発生する反力Ｂで打ち消されることとなる。特に本実施形態では、加圧軸受部材１５ｄの回転支点を構成している回転支持軸１５ｄ２が、加圧ローラ１５ｂに対して、シート状記録媒体Ｐの搬送方向に略平行で、且つ加圧ローラ１５ｂの回転中心を通る直線上またはその近傍に配置されていることから、シート状記録媒体Ｐから加圧ローラ１５ｂが受けるシート作用力Ｆｐと、加圧機構としての加圧軸受部材１５ｄの加圧力Ｆｓとの関係が、基本的に無関係となっており、その結果、加圧ローラ１５ｂによる加圧力Ｆｓが安定的に得られるようになっている。
【００４１】
以上、本発明者によってなされた発明の実施形態を具体的に説明したが、本発明は、上記実施形態に限定されるものではなく、その要旨を逸脱しない範囲で種々変形可能であることはいうまでもない。
【００４２】
例えば、上述した実施形態は、搬送ローラとしてレジストローラに本発明を適用したものであるが、その他の多種多様な搬送ローラに対しても同様に適用することができる。
【００４３】
また、上述した実施形態は、プリンタに対して本発明を適用したものであるが、複写機等の他の画像形成装置に対しても本発明は同様に適用することができるものである。
【産業上の利用可能性】
【００４４】
以上述べた本発明にかかる画像形成装置は、プリンタなどの画像形成装置を始めとして、複写機等の多種多様な画像形成装置に対して広く適用することが可能である。
【図面の簡単な説明】
【００４５】
【図１】本発明を適用したプリンタの内部概略構造を表した側面説明図である。
【図２】図１に表されたプリンタに用いられているレジストローラの構造を表した正面説明図である。
【図３】図２に表されたレジストローラに用いられている加圧機構の構成を表した側面説明図である。
【図４】図２に表されたレジストローラのシート搬送方向における上流側部分を表した側面説明図である。
【図５】図２に表されたレジストローラのシート搬送方向における下流側部分を表した側面説明図である。
【図６】従来のレジストローラに対する加圧機構の一例を表した側面説明図である。
【図７】図６における従来のレジストローラにおける不良状態の一例を表した側面説明図である。
【符号の説明】
【００４６】
１０  レーザプリンタ（画像形成装置）
１２  プロセスカートリッジ
１２１  感光ドラム
１２２  現像装置
１３  メイン給紙ユニット
１４  給紙通路
１５  レジストローラ
１５ａ  駆動ローラ（第２のローラ）
１５ａ１  回転軸
１５ｂ  加圧ローラ（第１のローラ）
１５ｂ１  回転軸
１５ｃ  電磁クラッチ
１５ｄ  加圧軸受部材（揺動アーム部）
１５ｄ１  取付穴
１５ｄ２  回転軸
１５ｄ３  取り付け溝
１５ｅ  コイルバネ（加圧手段）
１６  マルチ給紙ユニット
１８  定着装置
２０  排紙部
２３，２４  排紙トレイ
Ｐ  シート状記録媒体
【図１】
2005249976.tif 000003
【図２】
2005249976.tif 000004
【図３】
2005249976.tif 000005
【図４】
2005249976.tif 000006
【図５】
2005249976.tif 000007
【図６】
2005249976.tif 000008
【図７】
2005249976.tif 000009